(57)【要約】      （修正有）【課題】ソーラーパネルモジュールの連結部材を提供する。【解決手段】ソーラーパネルモジュールの連結部材２０は上連結片３０および下連結片４０を備える。上連結片は腹部３１および二つの翼部３３を有する。腹部は二つのフレーム１３、１４の間の隙間に嵌め込まれる。二つの翼部は相対するように腹部に連結され、二つのフレームに別々に当接する。下連結片は矩形底部４１と、矩形底部の周りに形成された第一側壁４５、第二側壁４６およびスペーサー４７とを有する。上連結片の腹部および支持形鋼１５は矩形底部によって連結される。第一側壁および第二側壁は矩形底部の二つの相対する隅に位置する。スペーサーは第一側壁および第二側壁の間に位置し、かつ第一側壁および第二側壁との間に第一位置決め溝および第二位置決め溝を別々に有し、第一位置決め溝および第二位置決め溝はフレームの隅の位置決め作業に対応する。これにより位置決め作業を迅速に行い、装着の便をはかることができる。【選択図】図２
0003214275.tif 000002
【実用新案登録請求の範囲】
【請求項１】
少なくとも二つのフレームおよび支持形鋼を備えるソーラーパネルモジュールに用いられ、上連結片、下連結片および固定ユニットから構成されるソーラーパネルモジュールの連結部材であって、
少なくも二つの前記フレームは、相互に距離を置いて並列することで隙間を形成し、
前記支持形鋼は、少なくとも二つの前記フレームの下方に配置され、
前記上連結片は、腹部および二つの翼部を有し、前記腹部は前記隙間に嵌め込まれ、二つの前記翼部は相対するように前記腹部に連結され、前記フレームに別々に当接し、
前記下連結片は、少なくとも二つの前記フレームと前記支持形鋼との間に配置され、矩形底部、第一側壁、第二側壁およびスペーサーを有し、前記矩形底部は二つの相対する第一側辺部および二つの相対する第二側辺部からなり、前記第一側壁および前記第二側壁は前記矩形底部の前記第一側辺部に連結され、前記矩形底部の二つの相対する隅に別々に位置し、前記スペーサーは前記第一側壁および前記第二側壁の間に位置するように前記矩形底部の前記第二側辺部に連結され、前記第一側壁および前記第二側壁に所定の距離を置くことによって前記第一側壁および前記第二側壁との間に第一位置決め溝および第二位置決め溝を別々に形成し、前記第一位置決め溝および前記第二位置決め溝は前記フレームの隅の位置決め作業に対応し、
前記固定ユニットは、前記支持形鋼、前記上連結片の前記腹部および前記下連結片の前記矩形底部をまとめて固定するものであることを特徴とするソーラーパネルモジュールの連結部材。
【請求項２】
前記支持形鋼は長形孔を有し、
前記上連結片は前記腹部に上方固定孔を有し、
前記下連結片は前記矩形底部に下方固定孔を有し、
前記固定ユニットはボルトおよびナットを有し、前記ボルトは前記支持形鋼の前記長形孔、前記上連結片の前記上方固定孔および前記下連結片の前記下方固定孔を貫通し、前記ナットによって締め付けられることを特徴とする請求項1に記載のソーラーパネルモジュールの連結部材。
【考案の詳細な説明】
【技術分野】
【０００１】
本考案はソーラーパネルモジュールに関し、詳しくはソーラーパネルモジュールの二つの相対するフレームおよび支持形鋼を簡単かつ迅速にまとめて固定できるソーラーパネルモジュールの連結部材に関するものである。
【背景技術】
【０００２】
太陽光発電システムはソーラーパネルで吸収した太陽光を電気エネルギーに転換し、貯めて給電することが主な働きである。太陽光発電システムのソーラーパネルを設置するには大面積の空間が必要である。大面積の空間を確保するために現有の建築物の屋根、室外の空き地または道端を十分に利用することが一般的である。ソーラーパネルを設置する際、二つの並列するフレームの間の間隔が小さく、装着に必要な部品が多いことが原因で位置決め作業および後続の固定作業に非常に手間がかかるため、構造には改善の余地がある。
【考案の概要】
【考案が解決しようとする課題】
【０００３】
本考案は、位置決め作業を迅速に行い、装着の便をはかることができるソーラーパネルモジュールの連結部材を提供することを主な目的とする。
【課題を解決するための手段】
【０００４】
上述した課題を解決するため、ソーラーパネルモジュールの連結部材は上連結片、下連結片および固定ユニットを備える。上連結片は腹部および二つの翼部を有する。腹部は二つの並列するフレームの間の隙間に嵌め込まれる。二つの翼部は腹部に連結され、フレームに別々に当接する。下連結片は二つのフレームと支持形鋼との間に配置され、矩形底部、第一側壁、第二側壁およびスペーサーを有する。矩形底部は二つの相対する第一側辺部および二つの相対する第二側辺部からなる。第一側壁および第二側壁は矩形底部の第一側辺部に連結され、矩形底部の二つの相対する隅に別々に位置する。スペーサーは第一側壁および第二側壁の間に位置するように矩形底部の第二側辺部に連結され、第一側壁および第二側壁に所定の距離を置くことによって第一側壁および第二側壁との間に第一位置決め溝および第二位置決め溝を別々に形成する。第一位置決め溝および第二位置決め溝はフレームの隅の位置決め作業に対応する。固定ユニットは支持形鋼、上連結片の腹部および下連結片の矩形底部をまとめて固定するものである。  
【０００５】
上述した技術手段により、、ソーラーパネルモジュールの連結部材は二つのフレームの隅に位置決め作業を迅速に行い、固定ユニットによって上連結片、下連結片および支持形鋼を固定する後続作業の便をはかることができる。
【０００６】
比較的好ましい場合、支持形鋼は長形孔を有する。上連結片は腹部に上方固定孔を有する。下連結片は矩形底部に下方固定孔を有する。固定ユニットはボルトおよびナットを有する。ボルトが支持形鋼の長形孔、上連結片の上方固定孔および下連結片の下方固定孔を貫通し、ナットによって締め付けられれば、上連結片、下連結片および支持形鋼は固定ユニットによってまとまって固定される。
【図面の簡単な説明】
【０００７】
【図１】本考案の一実施形態による連結部材によってフレームおよび支持形鋼を連結した状態を示す斜視図である。
【図２】本考案の一実施形態による連結部材によって連結されたフレームおよび支持形鋼の一部分を示す分解斜視図である。
【図３】本考案の一実施形態による連結部材の下連結片に第一位置決め溝および第二位置決め溝が形成された状態を示す平面図である。
【図４】本考案の一実施形態による連結部材によってフレームおよび支持形鋼が連結された状態を示す断面図である。
【考案を実施するための形態】
【０００８】
以下、本考案によるソーラーパネルモジュールの連結部材を図面に基づいて説明する。なお、本明細書において、上下、内外、頂部、底部などの方向性のある用語は通常に作業する際の向きを表示するための説明に過ぎないため、本考案の請求範囲を限定できない。
【０００９】
図１に示すように、ソーラーパネルモジュール１０は四つのソーラーパネル１１二つの第一フレーム１３および二つの第二フレーム１４を備える。二つの第一フレーム１３は二つのソーラーパネル１１の周りを囲むように並列する。二つの第二フレーム１４は別の二つのソーラーパネル１１の周りを囲むように並列する。第一フレーム１３および第二フレーム１４は相互に距離を置くことで隙間Ｇを生じる。ソーラーパネルモジュール１０はさらに支持形鋼１５（例えばＣ字型鋼）を備える。支持形鋼１５は隙間Ｇに垂直するように第一フレーム１３および第二フレーム１４の下方に配置され、第一フレーム１３および第二フレーム１４に支持効果を発揮する。本考案の一実施形態による連結部材２０を採用するために、支持形鋼１５は頂面に複数の長形孔１６を有する。説明の便をはかるために、一つの長形孔１６だけは図2に表示される。
【００１０】
（一実施形態）
図2に示すように、本考案の一実施形態による連結部材２０は上連結片３０、下連結片４０および固定ユニット５０を備える。
【００１１】
上連結片３０は、腹部３１および二つの翼部３３を有する。腹部３１は矩形を呈し、円形の上方固定孔３２を有する。二つの翼部３３は腹部３１の二つの相対する長辺部に連結され、横断面がＬ字型を呈する。図２および図３に示すように、装着作業を行う際、上連結片３０の腹部３１を隙間Ｇに嵌め込み、上連結片３０の一つの翼部３３を二つの第一フレーム１３の頂部に連結し、上連結片３０の別の一つの翼部３３を二つの第二フレーム１４の頂部に連結すればよい。
【００１２】
下連結片４０は、矩形底部４１、二つの第一側壁４５、二つの第二側壁４６および二つのスペーサー４７を有する。矩形底部４１は二つの相対する第一側辺部４３および二つの相対する第二側辺部４４からなり、中央に下方固定孔４２を有する。二つの第一側壁４５および二つの第二側壁４６は相互に対応するように矩形底部４１の四つの隅に位置する。第一側壁４５は矩形底部４１の第一側辺部４３に垂直に連結され、第二側壁４６は矩形底部４１の別の第一側辺部４３に垂直に連結される。二つのスペーサー４７はそれぞれ矩形底部４１の第二側辺部４４に垂直に連結され、それぞれ第一側壁４５および第二側壁４６に所定の距離を置くことによって第一側壁４５および第二側壁４６との間に第一位置決め溝４８および第二位置決め溝４９を別々に形成する。二つの第一位置決め溝４８は相互に繋がり、二つの第二位置決め溝４９は相互に繋がる。二つの第一位置決め溝４８と二つの第二位置決め溝４９とは二つのスペーサー４７によって隔離される。図３に示すように、二つのスペーサー４７は下方固定孔４２の真上および真下に位置し、二つの第一位置決め溝４８は下方固定孔４２の左側の上下に位置し、二つの第二位置決め溝４９は下方固定孔４２の右側の上下に位置する。図２および図４に示すように、装着作業を行う際、二つの第一フレーム１３、二つの第二フレーム１４と支持形鋼１５との間に下連結片４０を取り付け、二つの第一フレーム１３の相互に対応する隅の底部を第一位置決め溝４８に別々に位置させ、二つの第二フレーム１４の相互に対応する隅の底部を第二位置決め溝４９に別々に位置させ、矩形底部４１の下方固定孔４２を支持形鋼１５の長形孔１６、上連結片３０の腹部３１の上方固定孔３２に対応させればよい。
【００１３】
固定ユニット５０は、ボルト５１、矩形ワッシャー５２、円形ワッシャー５３およびナット５４を有する。図２および図４に示すように、装着作業を行う際、ボルト５１が下から上へ矩形ワッシャー５２、支持形鋼１５の長形孔１６、下連結片４０の矩形底部４１の下方固定孔４２、上連結片３０の腹部３１の上方固定孔３２および円形ワッシャー５３を順に貫通し、ナット５４によって締め付けられれば、二つの第一フレーム１３、二つの第二フレーム１４および支持形鋼１５はまとまって固定される。
【００１４】
上述したとおり、本考案による連結部材２０は下連結片４０の特殊構造によって二つの第一フレーム１３および二つの第二フレーム１４の隅に位置決め作業を迅速に行うため、固定ユニット５０によって上連結片３０、下連結片４０および支持形鋼１５をまとめて固定する装着作業の利便性を向上させることができる。
【符号の説明】
【００１５】
１０：ソーラーパネルモジュール、  
１１、１２：ソーラーパネル、  
１３：第一フレーム、  
１４：第二フレーム、  
１５：支持形鋼、  
Ｇ：隙間、  
１６：長形孔、  
２０：連結部材、  
３０：上連結片、  
３１：腹部、  
３２：上方固定孔、  
３３：翼部、  
４０：下連結片、  
４１：矩形底部、  
４２：下方固定孔、  
４３：第一側辺部、  
４４：第二側辺部、  
４５：第一側壁、  
４６：第二側壁、  
４７：スペーサー、  
４８：第一位置決め溝、  
４９：第二位置決め溝、  
５０：固定ユニット、  
５１：ボルト、  
５２：矩形ワッシャー、  
５３：円形ワッシャー、  
５４：ナット、  
【図１】
0003214275.tif 000003
【図２】
0003214275.tif 000004
【図３】
0003214275.tif 000005
【図４】
0003214275.tif 000006